【事件の表示】
　特願２００２−２２３９２４「検体前処理搬送システム」拒絶査定不服審判事件〔平成１６年　２月２６日出願公開、特開２００４−　６１４５６〕について、次のとおり審決する。
【結　論】
　本件審判の請求は、成り立たない。
【理　由】
１．手続の経緯  
　本願は、平成１４年７月３１日の出願であって、平成１６年１１月１９日付けで拒絶理由が通知され（発送日：同年１１月３０日）、その指定期間内である平成１７年１月１９日に意見書及び手続補正書が提出されたが、同年３月２８日付けで拒絶査定がなされ（発送日：同年４月５日）、これに対し、同年５月６日に拒絶査定不服審判が請求されたものである。 
　 
２．本願発明
　本願の請求項１に係る発明（以下「本願発明」という。）は、平成１７年１月１９日付け手続補正書により補正された明細書及び図面の記載からみて、その特許請求の範囲の請求項１に記載された次の事項により特定されるとおりのものと認める。
「処理経路に沿って検体容器ホルダーに収容されている検体入り容器を搬送する第一搬送ラインと第一搬送ラインの搬送方向と逆方向に上記検体容器ホルダーに収容されている検体入り容器を搬送する第二搬送ラインとが並べて設けられた搬送ラインと、
　前記搬送ラインの近傍で、前記第一搬送ラインの上流側に設置された搬入ユニットと、
　前記搬入ユニットに設けられ、保管用ラックに収容されている検体入り容器を前記第一搬送ライン上の検体容器ホルダーに移載するロボットアームと、
　前記搬入ユニットの隣側で、前記第一搬送ラインの搬送方向下流側に設置され、前記第一搬送ライン上の検体容器ホルダーに移載された検体入り容器を遠心用ローター部に移載して遠心分離処理を行ない、処理後の検体入り容器を前記第一搬送ライン上の検体容器ホルダーに戻すように移載する遠心分離ユニットと、
　前記遠心分離ユニットの隣側で、前記第一搬送ラインの搬送方向下流側に設置され、前記遠心分離ユニットで遠心分離処理された後、前記第一搬送ライン上の検体容器ホルダーに移載された検体入り容器の栓を抜き取って廃棄処分する栓抜ユニットと、
　前記栓抜ユニットの隣側で、前記第一搬送ラインの搬送方向下流側に設置され、前記栓抜ユニットで栓を抜き取られた前記検体入り容器のうち、送り込まれた所定の検体入り容器内の検体につき分析処理した後、当該検体入り容器を前記第一搬送ライン上の検体容器ホルダーに移載する分析装置と、
　前記分析装置の隣側で、前記第一搬送ラインの搬送方向下流側に設置され、前記分析装置による分析処理が済んだ検体入り容器をロボットアームにより複数の専用フロアーに格納し、必要に応じて所定の検体入り容器を前記第一搬送ライン上の検体容器ホルダーに移載するストックヤードと、
　前記分析装置による分析結果を監視し、再分析を要する検体が発見されたとき前記ストックヤードに格納されている当該検体入りの容器について再分析指令を出す監視制御ユニットと、
　前記監視制御ユニットで再分析指令を出された検体入り容器を前記第二搬送ライン上の検体容器ホルダーに移載し、当該検体入り容器を上記再分析指令に応じた所定の前記分析装置に再度送り込んで再分析を実行させる手段と、
を備えたことを特徴とする検体前処理搬送システム。」
　
３．引用刊行物記載の発明
（３−１）原査定の拒絶の理由に引用した、本願出願日前に頒布された刊行物である特開平１０−２１３５８６号公報（以下「引用刊行物１」という。）には、「自動分析装置」に関する発明が記載されており、図面とともに次の事項が記載されている。
（ア）「【００１４】
【発明の実施の形態】本発明の望ましい実施例では、分析検査するためのサンプルが入ったサンプル容器が、各検体ラックに５本ずつ収容される。分析検査用の検体ラックが搬送される搬送ラインと、再検査するための検体ラックが搬送される帰還ラインは１つずつ設けられ、両ラインは隣り合って互に平行に配置される。搬送ラインに沿って複数の分析部が配置されており、少なくとも分析部の１つは多種類の分析検査項目をランダムアクセス処理できるものである。
【００１５】自動分析装置における分析部及び各機構の動作は、所定の動作プログラムに従ってマイクロコンピュータからなる制御部により制御される。搬送ラインで運ばれる検体ラックは、搬送ラインの出口に到達する前に、又は搬送ラインの出口に到達したときに、識別装置により、再検査が不要な検体ラックであるが、又は再検査の可能性がある一般検体用のラックであるかが識別され、搬送ラインの出口と待機部入口を兼ねた振分けポジションにおいて、識別結果に基づく検体ラックの振分けが振分け装置により実行される。予め再検査が不要であることが登録されている検体ラックは、待機部出口の隣の交差位置を横切ってラック回収部の入口に移動され、続いてラック回収部内に収納される。
【００１６】再検査の可能性がある一般検体用のラックは、分析部の分析検査に応じて再検査の要否が判断されるまでの間中、待機部内で待機するように、待機部入口としての振分けポジションから待機部内へ移動される。搬送ライン出口を兼ねた振分けポジションと交差位置とラック回収部入口は、直列状に配置されており、搬送ラインの延長線上に設けられる。
【００１７】１回目の検査結果が出た一般検体用のラックは、待機部出口から交差位置を経て帰還ラインの入口又はラック回収部入口に移動するように振分けられる。すなわち、再検査が必要であると判断された検体ラックは、交差位置を通って帰還ライン入口まで運ばれ、再検査不要と判断された検体ラックは、ラック回収部入口まで運ばれラック回収部内に収納される。交差位置は、搬送ライン出口からラック回収部入口に検体ラックを移動する通路と、待機部出口から帰還ライン入口に検体ラックを移動する通路とが交差する場所である。交差位置は、再検査が必要なラックの通路と再検査不要のラックの通路とが交わる場所である。このため、一方向へのラックの移動は、それに交差する方向へのラックの移動が停止している間に行われる。
【００１８】待機部に入った検体ラックは、ｕ字状に移動される。待機部は入口に近い側に検体ラックの受け入れエリアがあり、出口に近い側に検体ラックの送り出しエリアがある。検体ラックは再検査の判定待の待機時間の間に両エリア内を移動する。検体ラックは、収納された順番通りに待機部出口に到達する。待機部の送り出しエリアには、多数の検体ラックを同時に移動できるコンベアベルトが付設されており、このコンベアベルトによって各検体ラックが出口に位置づけられる。また、このコンベアベルトは、待機部の外の帰還ライン入口まで延在されており、待機部出口から帰還ライン入口までの検体ラックの移送装置としても働く。
【００１９】検体ラックは、その長さ方向がコンベアベルトの進行方向に対して直交する方向になるようにコンベアベルトに乗せられる。コンベアベルトには多数の仕切部材が平行に形成されており、それらの仕切部材同士の間隙に検体ラックが納められるので、移動に伴って検体ラックが転倒することを防止できる。また、コンベアベルトの移動停止時には、２つの仕切部材のスペースが搬送ライン出口からラック回収部へ移動する検体ラックの通路となるので、仕切部材が検体ラックの通過を妨げないように位置付けられる。
【００２０】以下、図１〜図５を参照して、本発明に基づく一実施例を説明する。図１において、多数の検体ラック２を配列したトレイが、２列のセットスペースを持つラック供給部１に装填される。ラック供給部内の検体ラック２は、既知のラック押出機構により１個ずつラック供給部出口３４に押し出される。出口３４に押し出された検体ラック２は、水平移動するフックにより搬送ライン入口３５まで移動される。
【００２１】図４に示すように、各検ラック２は直方体状の支持体であって、５本のサンプル容器８５が、ラックの長さ方向に沿って１列に配列保持される。検体ラック２には、ラックの種別及びラック番号を示すバーコードラベル８７が貼付されている。各サンプル容器８５には、容器識別番号又は検体受付番号を示すバーコードラベル８６が貼付されている。
【００２２】図１における搬送ライン３は、上下に回動されるベルトラインからなり、検体ラックを所定位置で停止できるように搬送動作が制御される。この搬送ライン３は、搬送ライン入口３５から搬送ライン出口３６（図２）まで検体ラックを運ぶことができる。図１のラック識別部４は、搬送ライン入口に来た検体ラックの送り先を識別する識別装置としてのバーコードリーダ５を備える。この種の識別装置は、ラック識別部４以外の分析部６，１４又は搬送ライン出口に設けてもよい。バーコードリーダ５によって読み取られたラックのバーコードラベル８７の内容及び各容器のバーコードラベル８６の内容は制御部５０に伝達され、検体ラックの種別，各サンプル容器に対し指示されている分析項目の種類等が、検体受付番号と対応づけて操作部５５から予め指示されている分析情報と照合され、その照合結果に基づいて検体ラック２の送り先が制御部５０によって決定され、記憶部５２に記憶されてその後の検体ラックの処理に利用される。
【００２３】搬送ライン入口３５は、搬送ライン３の搬送開始点となっており、ラック識別部４で識別された検体ラック２は、分析部６又は１４に対応するラック取込機構７又は１５の位置まで搬送され、一旦停止してラック取込機構７，１５により分析部６，１４のサンプリングエリア８，１６内に取り込まれる。
【００２４】搬送ライン３よりも上流には、緊急検査用の検体ラック２をセットできる緊急検体投入部５３が配置されており、ここに置かれた検体ラックは、ラック供給部１から供給される一搬検体用の検体ラックより優先して搬送ライン入口３５までラック運搬用フックにより運ばれ、分析部による分析検査が進められる。
【００２５】搬送ライン３に沿って配置される分析部６，１４は、搬送ライン３から検体ラックを受け取り分注処理後の検体ラックを再び搬送ライン３に戻すサンプリングエリア８，１６と、反応容器の列によって反応ラインを形成し各反応容器内で各種の分析項目に応じたサンプルと試薬の反応を進めるよう反応容器の列を回動する反応ディスク１０，１８と、各種の分析項目に応じた試薬を試薬吸入位置に位置づけるように動作する試薬ディスク１１，１９を具備する。また、分析部６，１４は、反応容器内で形成された各サンプルの反応液を測定するための多波長光度計と、サンプリングエリア８，１６から反応ディスク１０，１８上の反応容器へサンプル容器内のサンプルを分取するサンプル分注機構９，１７と、試薬ディスク１１，１９上の試薬ボトルから反応ディスク１０，１８上の反応容器へ分析項目に応じた試薬を分注する試薬分注機構１２，２０を具備する。
【００２６】第１の分析部６によって分析検査される項目が指示されているサンプルを保持する検体ラック２は、ラック取込機構７により搬送ライン３上からサンプリングエリア８に移載される。移載された検体ラック２は、サンプリングエリア８内で取込位置からサンプル採取位置４１に移動され、必要なサンプル容器内にサンプル分注機構９のピペットノズルが挿入されて反応容器への分注がなされる。同じサンプル容器について２項目以上の検査が指示されている場合、及び同じ検体ラック２上の他のサンプル容器に対し検査項目が指示されている場合は、引き続いてサンプル採取動作が繰り返される。
【００２７】指示されている総ての分析項目に関するサンプルの採取が終了した検体ラック２は、ラック排出機構１３の対応位置まで移動され、ラック排出機構１３によって搬送ライン３上へ移載される。一方、反応ディスク１０上の反応容器に採取されたサンプルは、試薬分注機構１２によって分注された試薬と反応され、所定時間後に多波長光度計によって測定された各分析項目に対応するデータが制御部５０へ出力される。制御部５０は、予め設定されている判定規準と分析検査データを照合し、測定データが不適性な場合は、再検査が必要な検体であることを検体ラック番号及びサンプル容器番号と対応づけて記憶部５２の所定メモリエリアに記憶し、後述する振分け装置の動作を適正なタイミングで制御する。
【００２８】ラック排出機構１３によって搬送ライン３上に移載された検体ラックに対し、第２の分析部１４に設定されている分析項目を分析検査する必要があるサンプルが載置されているか否かが制御部５０によって判断され、検体ラック２上に検査すべきサンプルがあれば該検体ラックをラック取込機構１５の対応位置まで搬送ライン３によって運ぶ。搬送ライン３上に停止された検体ラックはラック取込機構１５によりサンプリングエリア１６内に移載され、次いでサンプル採取位置４２にて反応ディスク１８上の反応容器にサンプルを分注する。必要なサンプル容器のすべてのサンプル採取を終えた検体ラック２は、ラック排出機構２１により搬送ライン３上に移載される。そして、検体ラック２は搬送ライン出口まで搬送される。
【００２９】コントロール検体，準標試料，洗浄液等の入れられたサンプル容器を収容した各検体ラックは、外観上も一般検体用の検体ラックとは違う色になっているが、これらの検体ラックは、再検査不要ラックとして予め制御部５０の記憶部５２の検体種別テーブルに登録されている。バーコードリーダ５によって一般検体のラックであることが識別されたときは、その検体ラックが搬送ライン出口を兼ねた振分け位置にて待機部４０へ取込まれるように振分け装置のラック押し込み機構６０（図２）を制御部５０により動作させる。
【００３０】制御部５０によって指示された方向に検体ラックを振分けるための振分け装置は、第１切替部２２及び第２切替部２７を備える。第１切替部２２は、バーコードリーダ５によるラック識別情報に応じて検体ラックを待機部４０又はラック回収部２３へ方向づける。第２切替部２７は、待機部４０内で待機していた検体ラックを、分析部６，１４の検査結果に基づいて制御部５０により再検査要否を判定した結果に応じて帰還ライン２９又はラック回収部２３へ方向づける。再検査不要のラックとして予め登録されているもの以外の検体ラックは、分析部におけるサンプル採取後に総て待機部４０に一旦収納される。
【００３１】待機部４０内に収容された検体ラックは、受け入れエリア２４及び送り出しエリア２５を移動しながら分析部６，１４の検査結果が制御部５０へ出力されるのを待つ。再検査が不要であると判定された検体ラックは、搬送ライン３の出口又は待機部４０の出口から回収ライン６８上のラック回収部入口に移動され、ラック押込機構２８ａ又は２８ｂによりラック回収部２３内に収納される。
【００３２】帰還ライン２９は、帰還ライン入口３１から帰還ライン出口３２までの間に延在するように上下に回動されるベルトラインからなる。再検査が必要であると判定されて待機部４０から帰還ライン入口３１に移動された検体ラック２は、帰還ライン２９により終端の帰還ライン出口３２まで、他の検体ラックに進行を妨げられることなく搬送される。そして、ラック移動機構３０により、検体ラックは帰還ライン出口３２からラック供給部出口３４へ移動され、次いで搬送ライン入口３５へ移動され再び搬送ライン３を介して分析部６，１４に導かれる。第１回目の分析検査データ及び再検査の分析検査データは、表示部５４に表示される。再検査するための検体ラックは、ラック供給部１から供給される解体ラックよりも優先して搬送ライン３に引き渡されるようプログラムされている。これにより、先に分析検査に着手した検体に関する最終的な分析結果が極力早く得られるようになる。
【００３３】図１における待機部４０のユニットは、分析部１４のユニットとラック回収部２３のユニットに挟まれるように配置され、サンプル採取され再検査不要と判定された検体ラックが他の検体ラックの処理の妨げにならないように速やかにラック回収部２３に収納される。サンプル採取された検体ラックは搬送ライン３の出口付近で集中的に仕分けられるので、帰還ライン２９の出口付近のラック処理機構を簡単なものにできる。
【００３４】図２は、図１の自動分析装置における待機部付近の詳細構成を示す平面図である。第１切替部２２及び第２切替部２７は、図２中に破線で示されている。第１切替部２２は、ラック当接部材を検体ラック２の長さ方向に直交する方向に往復動するラック押込機構６０と、検体ラック２の後端を押すための爪を回動ベルトによって移動するラック送り機構６１と、搬送ライン出口３６に到達した検体ラック２の先端に当接して検体ラックの動きを止める部材を回転ベルトによって移動するラックストッパ６６を具備する。第２切替部２７は、上下に回動される無端状のベルト６４と、交差位置８０に位置づけられた検体ラック２の後端を押して該検体ラックを回収ライン６８のベルト上に乗せるための爪を有するラック送り機構６１と、帰還ライン入口３１に来た検体ラック２の端部を押すための爪を回動ベルトによって移動するラック送り機構６７を具備する。
【００３５】搬送ライン出口３６は、検体ラックの振り分け位置と待機部４０の入口を兼ねている。分析部６又は１４から排出され搬送ライン３により運ばれた検体ラック２は、再検査が不要のラックか、又は再検査を必要とする可能性があるラックかにより搬送ライン出口３６の位置にて振分けられる。再検査不要を指示されている検体ラックが搬送ライン出口３６に到達したときは、ラックストッパ６６が通路から外された状態にあり、その検体ラックはラック送り機構６１により後端を押さえ、交差位置８０を通り抜けて回収ライン６８に引き渡され、回収部入口３９に停止される。次いで、ラック押込機構２８ａ又は２８ｂにより検体ラック２の長さ方向に直交する方向に押されてラック回収部２３内に収納される。
【００３６】一方、再検査の可能性がある検体ラック２が搬送ライン出口３６に到達するときは、ラックストッパ６６が通路を塞ぐ位置に移動して検体ラックの進行を止め、続いてラック押込機構６０が作動して検体ラックを待機部４０内へ押し込む。待機部４０は、受け入れエリア２４と送り出しエリア２５を有する。待機部４０には数箇所に反射形フォトセンサからなるラックセンサ７０，７１，７２，７４，７５が配設されている。待機部４０内で検体ラック２を運搬する機構は２種類採用される。すなわち、待機部入口から引き渡しポジション６９までの受け入れエリア２４では可動アームを有するラック送り機構６２が作用し、検体ラック２の受け取りポジション７３から待機部出口３８までの送り出しエリア２５ではベルト６４が作用する。
【００３７】ラック押込機構６０によって待機部４０内に検体ラック２が入れられたことは、ラックセンサ７０により検知される。搬送ライン出口３６もしくは待機部入口から振分けられた検体ラックが順次押し込まれて入口に近い側で所定数に達すると、２番目のラックセンサ７１により先頭の検体ラックが検知される。このラックセンサ７１の検知信号を受けたとき、又は先の検体ラックの受け入れから一定時間の間次の検体ラックが押し込まれないときには、制御部５０の指示によりラックセンサ７０とラックセンサ７１の間にとどまっている複数の検体ラック２を、ラック送り機構６２により引き渡しポジション６９の方へ移動する。先頭の検体ラックが引き渡しポジション６９に到達したことは、ラックセンサ７２により検知され、制御部５０に情報伝達される。
【００３８】図２の例では、ラックセンサ７０とラックセンサ７１の間の距離に基づいて一度に運ぶべき検体ラックの数が定められている。このような例に代えて、ラックセンサ７０により検知された検体ラック２の数をカウントし、所定数に達したときにラック送り機構６２により引き渡しポジション６９の方へ移動することもできる。あるいは、待機部入口から待機部４０内に検体ラックが収納される都度に１個ずつ引き渡しポジション６９の方へ運搬することもできる。
【００３９】待機部４０の送り出しエリア２５に配設されたベルト６４は、受け取りポジション７３にて受け取った検体ラック２を待機部出口３８まで運搬する働きと、待機部出口３８にある検体ラックを交差位置８０に移動する働きと、待機部出口３８に検体ラックを帰還ライン入口３１に移動する働きを有する。ベルト６４は、検体ラック２の幅の大きさより若干大きい距離間隔となるように配置された多数の仕切部材６５を具備する。従って、隣の仕切部６５同士のスペースに検体ラックが収められたときに、検体ラックが転倒することを防止することができる。交差位置８０に面して対向する二つの仕切部材６５は、搬送ライン出口３６側から回収部入口３９の方へ交差位置８０を通過する検体ラックの通路の側壁として機能する。
【００４０】ラック送り機構６２により引き渡しポジション６９に移動された検体ラック２は、ラックセンサ７２による検体ラックが引き渡しポジション６９上に存在する情報と、受け取りポジション７３側のラックセンサ７４による受け取りポジション７３上に検体ラックが存在しないという情報が制御部５０で確認された後、検体ラックの後端の当接する爪を持ったラック送り機構６３により引き渡しポジション６９から受け取りポジション７３へ送られる。ラックセンサ７４からの検体ラックを検知したという情報を受けて制御部５０は、ベルト６４を駆動させ、ベルトを１ラック分の距離だけ移動する。この動作は、ラック送り機構６２により所定数の検体ラックが引き渡しポジション６９に位置づけられる間中繰り返される。
【００４１】ラックセンサ７４は、カウンタ機能を有する。ラックセンサ７４が本例の如き反射形フォトセンサである場合は、ラックセンサ７４は暗から明の信号又は明から暗の信号の変化を検知し制御部５０に伝達することにより、送り出しエリア２５に収納された検体ラックの数が記憶部５２に記憶され、その後の検体ラックの処理のために数が管理される。
【００４２】検体ラック２をベルト６４上に移す作業の間にも、搬送ライン３から搬送ライン出口３６に到達した検体ラック２は、ラック押込機構６０により随時待機部４０の受け入れエリア２４に収納される。ラックセンサ７２側へ運搬された複数の検体ラック２が、受け入れエリア２４から送り出しエリア２５に移動完了していなくても、新たな検体ラック２がラック押込機構６０により待機部４０へ収納されその数が所定数に達した場合には、ラック送り機構６２のラック移送用アームが直ちに待機部入口側へ戻り、新たに収納された複数の検体ラックを送り出しエリア２５への移動完了前の検体ラックの列に後続して並べるように移動する。これにより、待機部入口近傍における検体ラックの滞りを防止できる。
【００４３】待機部４０内に収納された検体ラック２は、搬送ライン３によって搬送された順番で待機部出口３８から出される。送り出しエリア２５内の先頭の検体ラックに対し、分析部６，１４の検査結果に基づいて制御部５０により再検査要否の判定が出されたとき、その先頭の検体ラック２が待機部出口３８に位置づけられるように搬送用のベルト６４が動く。待機部出口３８に先頭の検体ラックが到達したことはラックセンサ７５で確認される。
【００４４】先頭の検体ラックが再検査不要であると判定された場合には、ベルト６４は１ラック分の距離を移動し、待機部出口３８にあった検体ラックを交差位置８０に移す。この検体ラックは、ラック送り機構６１により回収ライン６８に引き渡され、回収部入口３９からラック押込機構２８ａ又は２８ｂによりラック回収部２３内に収納される。
【００４５】一方、先頭の検体ラックが再検査の必要有りと判定された場合には、ベルト６４は待機部出口にあった検体ラックを帰還ライン入口３１まで移すように運動する。帰還ライン入口３１に到達した検体ラックは、ラック送り機構６７により帰還ライン２９上に移動され、帰還ライン２９の搬送動作により帰還ライン出口３２まで一気に搬送される。送り出しエリア２５内の先頭の検体ラックが待機部出口３８に位置づけられるごとに、再検査の要否に応じて上述した処理がなされ、交差位置８０からラック回収部２３の方へ進む検体ラックと、交差位置８０上を直進して帰還ライン入口３１の方へ進む検体ラックとに振分けられる。」
（イ）図１には、搬送ライン３に右矢印、帰還ライン２９に左矢印が記載されており、上記（ア）の記載も考慮すると、搬送ライン３と帰還ライン２９とは、検体ラック２を互いに逆方向に運ぶものであることが明らかである。また、図１には、ラック供給部１、ラック供給部出口３４は、搬送ライン３の近傍であってその上流に配置されていること、ラック供給部１の隣側であって搬送ライン３の下流側に分析部６，１４が配置され、該分析部６，１４の隣側であって搬送ライン３の下流側に待機部４０とラック回収部２３が配置されていることが記載されている。
　
　これらの記載によると、引用刊行物１には次の発明（以下「引用発明１」という。）が記載されているものと認められる。
　
「サンプルが入ったサンプル容器８５を収容する検体ラック２を、搬送ライン入口３５から搬送ライン出口３６まで運ぶ搬送ライン３と、該搬送ライン３の搬送方向と逆方向に搬送する、前記搬送ライン３に隣り合って平行に配置された帰還ライン２９と、
　前記搬送ライン３の近傍で、その上流側に配置された、多数の検体ラック２を配列したトレイが装填されたラック供給部１と、該ラック供給部１内の検体ラック２をラック供給部出口３４に押し出すラック押出機構と、前記ラック供給部出口３４に押し出された前記検体ラック２を搬送ライン入口３５まで水平移動するフックと、
　前記ラック供給部１の隣側で、前記搬送ライン３の下流側に配置され、分析検査される項目が指示されているサンプルを保持する検体ラック２を前記搬送ライン３から受け取り、必要なサンプル容器内のサンプルの分注処理後に、前記検体ラック２を再び搬送ライン３に戻す分析部６，１４と、
　該分析部６，１４の隣側で、前記搬送ライン３の下流側に配置され、前記分析部６，１４での分注処理が済み、前記搬送ライン出口３６まで搬送された検体ラック２の内、一般検体用ラックをラック押し込み機構６９で取り込み収納する待機部４０と、再検査不要を指示されている検体ラックを、ラック送り機構６１で押して交差位置８０を通り抜けて回収ライン６８に引き渡し、該回収ライン６８で回収部入口３９に運び、該回収部入口３９にある検体ラック２をラック押込機構２８ａ又は２８ｂで押して収納するラック回収部２３と、
　前記分析部６，１４の検査結果に基づいて、待機部４０内で待機していた検体ラック２の再検査要否を判定する制御部５０と、
　待機部４０の待機部出口３８に到達した検体ラック２の内、前記制御部５０で再検査要と判定された検体ラック２を、前記待機部出口３８から帰還ライン入口３１まで移動させるベルト６４と、再検査否と判定された検体ラック２を、前記待機部出口３８から前記交差位置８０に移すベルト６４と、該交差位置８０から前記回収ライン６８に引き渡す前記ラック送り機構６１と、
　前記帰還ライン入口３１に移動された再検査要の検体ラック２を、帰還ライン出口３２まで搬送する前記帰還ライン２９と、該帰還ライン出口３２から前記ラック供給部出口３４に移動する手段と、該ラック供給部出口３４から前記搬送ライン入口３５へ移動する手段と、
を備え、再検査要の検体ラックを再び搬送ライン３を介して再検査を行う分析部６，１４に導いて再検査を行うようにした検体搬送システム。」
　
（３−２）原査定の拒絶の理由に引用した、本願出願日前に頒布された刊行物である実願平１−５５７９０号（実開平２−１４６３６９号）のマイクロフイルム（以下「引用刊行物２」という。）には、「容器の移送装置」に関する発明が記載されており、図面とともに次の事項が記載されている。
　
（ア）「この実施例に係る容器移送装置は、第１図に示すように、採血管供給ライン１と、ラック（図示せず）に立設保持された採血管（図示せず）を採血管供給ライン１へと供給する採血管投入部２と、この採血管投入部２の下流側に順次配設されたバーコードリーダー及びラックコードリーダー装置３、シーケンスナンバープリンター４、移載ロボット５，栓抜装置６、２台の血液凝固分析装置７，８、２台の血糖分析装置９，１０、ＨｂＡｌｃ分析装置１１，１２、フルクトサミン分析装置１３，１４、採血管スタッカー１５，１６及び戻りライン１７と、から構成されている。」（明細書第３ページ第１２行−第４ページ第４行）
（イ）「採血管投入部２では、血液試料が収容され、上端開口部にゴム栓が挿着された複数本の採血管を、移載ロボット１８を介して、血液凝固分析ライン１ａ或は血糖分析ライン１ｂにセットされた空のラックに供給する。」（明細書第５ページ第１３−１７行）
（ウ）「この移載ロボット１８は、採血管を把持し、これを採血管供給ライン１へと移し換えるもので、公知の機構からなるピックアップロボットで構成されている。」（明細書第６ページ第２−５行）
（エ）「このようにして所定の血糖分析が終了し血糖分析ライン１ｂへと戻された採血管は、血糖分析ライン１ｂによって下流側へと移送された後、移載ロボット２３を介してラックから採血管のみが抜き取られ採血管スタッカー１５へと移載される。
　尚、上記移載ロボット２３，２４は、前記移載ロボット１８と同様に構成されているのでその詳細な説明をここでは省略する。」（明細書第１３ページ第５−１３行）
　
　これらの記載によると、引用刊行物２の語句と本願発明の語句の相当関係（引用刊行物２の、「採血管」、「ラック」、「採血管供給ライン」は、それぞれ本願発明の、「検体入り容器」、「検体容器ホルダー」、「搬送ライン」に相当する。）も考慮して、本願発明の語句を用いると、引用刊行物２には、次の発明が記載されているものと認められる。
　
「検体入り容器を搬送ラインで運んで、分析装置による分析処理等を行う検体搬送システムにおいて、搬送ラインへの検体入り容器の移載，搬送ラインから外部への検体入り容器の移載を、搬送ライン上の検体容器ホルダーへの検体入り容器の移載，搬送ライン上の検体容器ホルダーから外部への検体入り容器の移載で行うこと。」
「搬送ラインへ検体入り容器を搬入する構成として、ピックアップロボットで構成された移載ロボットで検体入り容器を把持して、これを搬送ライン上にセットされた空の検体容器ホルダーに移載すること、検体入り容器を搬送ラインから搬出してスタッカーへ格納する構成として、移載ロボットで検体容器ホルダーから検体入り容器を抜き取りスタッカーへ移載すること。」
　
（３−３）原査定の拒絶の理由に引用した、本願出願日前に頒布された刊行物である特開平１１−９４８４１号公報（以下「引用刊行物３」という。）には、「検体搬送装置及び方法」に関する発明が記載されており、図面とともに次の事項が記載されている。
　
（ア）「【００１２】
【発明の実施の形態及び実施例】以下に、本発明にかかる実施の形態を図面に基づいて詳細に説明する。本発明の第１の実施形態にかかる検体搬送装置は、図１〜３に示すように、患者から採集した血液又は尿などの検体を自動的に所定の検査装置まで搬送して検査する検体搬送装置である。被検査物である検体は検体保持管１内に保持される。この検体保持管１は、原則として、検体搬送装置に搬入されたのち、図１〜５に示すように、バーコード読取機２で検体保持管１の側面に貼り付けられたバーコード１ａを読み取り、必要に応じて遠心分離機３での遠心分離、必要に応じて量測定機４での量の測定、開栓機５による検体保持管１の開栓、必要に応じて子管分注機６による子管１１への分注、検査装置７での検査、閉栓機９による検体保持管１等の閉栓、収納庫８への収納の順に搬送ユニット１５で搬送されるようにしている。これらの各装置及び搬送ユニット１５のコントローラ１５ｇはサーバー３０との間で各種情報を伝送可能に接続されているとともに、サーバー３０とホストコンピュータ３１との間でも同様に各種情報を伝送可能に接続されている。以下に、これを詳細に説明する。」
　
　この記載によると、引用刊行物３の語句と本願発明の語句の相当関係（引用刊行物３の、「検査装置」、「遠心分離機」、「開栓機」、「搬送ユニット」は、それぞれ本願発明の、「分析装置」、「遠心分離ユニット」、「抜栓ユニット」、「搬送ライン」に相当する。）も考慮して、本願発明の語句を用いると、引用刊行物３には次の発明が記載されているものと認められる。
　
「検体入り容器を搬送ラインで運んで、分析装置により分析を行う検体搬送システムにおいて、分析装置より上流の搬送ラインに沿って、前処理装置として、遠心分離ユニットと、検体入り容器の栓を抜き取る栓抜ユニットを順に設けること。」
　
４．対比
　本願発明と引用発明１とを対比する。 
（４−１）引用発明１の、(a)「サンプルが入ったサンプル容器８５」、(b)「検体ラック２」は、本願発明の、(a)「検体入り容器」、(b)「検体容器ホルダー」に相当することは明らかである。
　そして、引用発明１の「搬送ライン入口３５から搬送ライン出口３６まで運ぶ搬送ライン３」と、「搬送ライン出口３６」から「回収ライン６８」を経て「回収部入口３９」に到るラインとを合わせたラインは、要検査不要を指示されている検体ラック２が搬送されるラインとしてみると、分割されているとはいえ、「サンプルが入ったサンプル容器８５を収容する検体ラック２」を「搬送ライン入口３５」から「回収部入口３９」まで運ぶ一つのラインとしてみることができるので、引用発明１の、(c)「サンプルが入ったサンプル容器８５を収容する検体ラック２を搬送ライン入口３５から搬送ライン出口３６まで運ぶ搬送ライン３」と、「搬送ライン出口３６」から「回収ライン６８」を経て「回収部入口３９」に到るラインとを合わせたラインは、本願発明の、(c)「処理経路に沿って検体容器ホルダーに収容されている検体入り容器を搬送する第一搬送ライン」に相当するものといえ、そうすると、引用発明１の、(d)「サンプルが入ったサンプル容器８５を収容する検体ラック２を・・・該搬送ライン３の搬送方向と逆方向に搬送する、前記搬送ライン３に隣り合って平行に配置された帰還ライン２９」は、本願発明の、(d)「第一搬送ラインの搬送方向と逆方向に上記検体容器ホルダーに収容されている検体入り容器を搬送する第二搬送ライン」に相当する。したがって、引用発明１の上記(a)、(b)、(c)、(d)を合わせたもの(f)は、本願発明における、(f)「処理経路に沿って検体容器ホルダーに収容されている検体入り容器を搬送する第一搬送ラインと第一搬送ラインの搬送方向と逆方向に上記検体容器ホルダーに収容されている検体入り容器を搬送する第二搬送ラインとが並べて設けられた搬送ライン」に相当するものといえる。
（４−２）引用発明１の、「前記搬送ライン３の近傍で、その上流側に配置された、多数の検体ラック２を配列したトレイが装填されたラック供給部１と、該ラック供給部１内の検体ラック２をラック供給部出口３４に押し出すラック押出機構と、前記ラック供給部出口３４に押し出された前記検体ラック２を搬送ライン入口３５まで水平移動するフック」を合わせたものと、本願発明の、「前記搬送ラインの近傍で、前記第一搬送ラインの上流側に設置された搬入ユニットと、前記搬入ユニットに設けられ、保管用ラックに収容されている検体入り容器を前記第一搬送ライン上の検体容器ホルダーに移載するロボットアーム」とは、保管手段に収容されている検体入り容器を第一搬送ラインに搬入するユニットである点で共通し、その設置位置は、搬送ラインの近傍で、第一搬送ラインの上流側である点でも共通するものであるから、両者は、「搬送ラインの近傍で、第一搬送ラインの上流側に設置された搬入ユニットと、前記搬入ユニットに設けられ、保管手段に収容されている検体入り容器を前記第一搬送ライン上に移載する機構」、である点で共通する。
（４−３）引用発明１の「分析部６，１４」は、本願発明の「分析装置」に相当することは明らかであるが、引用発明１の分析部６，１４における分注処理は分析処理なので、引用発明１の、「前記ラック供給部１の隣側で、前記搬送ライン３の下流側に配置され、分析検査される項目が指示されているサンプルを保持する検体ラック２を前記搬送ライン３から受け取り、必要なサンプル容器内のサンプルの分注処理後に、前記検体ラック２を再び搬送ライン３に戻すサンプリングエリア８，１６を具備した分析部６，１４」と、本願発明の、「前記栓抜ユニットの隣側で、前記第一搬送ラインの搬送方向下流側に設置され、前記栓抜ユニットで栓を抜き取られた前記検体入り容器のうち、送り込まれた所定の検体入り容器内の検体につき分析処理した後、当該検体入り容器を前記第一搬送ライン上の検体容器ホルダーに移載する分析装置」とは、「第一搬送ラインの搬送方向下流側に設置され、送り込まれた所定の検体入り容器内の検体につき分析処理した後、当該検体入り容器を前記第一搬送ラインに移載する分析装置」である点で共通する。
（４−４）引用発明１の、「該分析部６，１４の隣側で、前記搬送ライン３の下流側に配置され、前記分析部６，１４での分注処理が済み、前記搬送ライン出口３６まで搬送された検体ラック２の内」、「一般検体用ラックをラック押し込み機構６９で取り込み収納する待機部４０」と、「再検査不要を指示されている検体ラック２を、ラック送り機構６１で押して交差位置８０を通り抜けて回収ライン６８に引き渡し、該回収ライン６８で回収部入口３９に運び、該回収部入口３９にある検体ラック２をラック押込機構２８ａ又は２８ｂで押して収納するラック回収部２３」とは、共に分析部で処理されたサンプル容器８５を収容する検体ラック２を収納するものであるので、これらを合わせて一つのサンプル容器８５を収容する検体ラック２の収納場所とみることができる。そして、「待機部４０」は一般検体用ラック、「ラック回収部２３」は再検査不要を指示されている検体ラックという、互いに異なる属性の検体ラックをそれぞれ収納するものであって、「待機部４０」は一般検体用ラック専用の場所、「ラック回収部２３」は再検査不要を指示されている検体ラック専用の場所であるということができる。
　そして、本願発明における「ストックヤード」，「フロアー」は、それぞれ英語の「stock yard」，「floor」をカタカナにしたものと解されるが、「sotck」とは貯蔵，「yard」とは置場，「floor」とは床をそれぞれ意味し（研究社リーダーズ英和辞典第２版）、引用発明１における、「待機部４０」と「ラック回収部２３」はそれぞれ床、「待機部４０」と「ラック回収部２３」とを合わせた全体はサンプル容器８５を収容した検体ラック２の貯蔵置場といえる。
　また、引用発明１では、「待機部４０の待機部出口３８に到達した検体ラック２の内・・・再検査否と判定された検体ラック２を、前記待機部出口３８から前記交差位置８０に移すベルト６４と、該交差位置８０から前記回収ライン６８に引き渡す前記ラック送り機構６１」を備えており、上記（１）(c)の相当関係を考慮すると、引用発明１は、待機部４０の検体ラック２を「第一搬送ライン」に移載する構成も備えている。更に、引用発明１の分析部６，１４における分注処理は分析処理である。
　そうすると、引用発明１の、「該分析部６，１４の隣側で、前記搬送ライン３の下流側に配置され、前記分析部６，１４での分注処理が済み、前記搬送ライン出口３６まで搬送された検体ラック２の内、一般検体用ラックをラック押し込み機構６９で取り込み収納する待機部４０と、再検査不要を指示されている検体ラック２を、ラック送り機構６１で押して交差位置８０を通り抜けて回収ライン６８に引き渡し、該回収ライン６８で回収部入口３９に運び、該回収部入口３９にある検体ラック２をラック押込機構２８ａ又は２８ｂで押して収納するラック回収部２３」と、「待機部４０の待機部出口３８に到達した検体ラック２の内・・・再検査否と判定された検体ラック２を、前記待機部出口３８から前記交差位置８０に移すベルト６４と、該交差位置８０から前記回収ライン６８に引き渡す前記ラック送り機構６１」を合わせた構成と、本願発明の、「前記分析装置の隣側で、前記第一搬送ラインの搬送方向下流側に設置され、前記分析装置による分析処理が済んだ検体入り容器をロボットアームにより複数の専用フロアーに格納し、必要に応じて所定の検体入り容器を前記第一搬送ライン上の検体容器ホルダーに移載するストックヤード」とは、「分析装置の隣側で、第一搬送ラインの搬送方向下流側に設置され、分析装置による分析処理が済んだ検体入り容器を機構により複数の専用フロアーに格納し、必要に応じて所定の検体入り容器を前記第一搬送ライン上に移載するストックヤード」である点で共通する。
（４−５）引用発明１の、「前記分析部６，１４の検査結果に基づいて、待機部４０内で待機していた検体ラック２の再検査要否を判定する制御部５０」は、その機能からみて、本願発明の、「前記分析装置による分析結果を監視し、再分析を要する検体が発見されたとき前記ストックヤードに格納されている当該検体入りの容器について再分析指令を出す監視制御ユニット」に相当する。
（４−６）引用発明１の、「待機部４０の待機部出口３８に到達した検体ラック２の内、前記制御部５０で再検査要と判定された検体ラック２を、前記待機部出口３８から帰還ライン入口３１まで移動させるベルト６４」と、「前記帰還ライン入口３１に移動された再検査要の検体ラック２を、帰還ライン出口３２まで搬送する前記帰還ライン２９と、該帰還ライン出口３２から前記ラック供給部出口３４に移動する手段と、該ラック供給部出口３４から前記搬送ライン入口３５へ移動する手段と、を備え、再検査要の検体ラックを再び搬送ライン３を介して再検査を行う分析部に導いて再検査を行うようにした」を合わせた構成と、本願発明の、「前記監視制御ユニットで再分析指令を出された検体入り容器を前記第二搬送ライン上の検体容器ホルダーに移載し、当該検体入り容器を上記再分析指令に応じた所定の前記分析装置に再度送り込んで再分析を実行させる手段」とは、「監視制御ユニットで再分析指令を出された検体入り容器を第二搬送ラインに移載し、当該検体入り容器を上記再分析指令に応じた所定の分析装置に再度送り込んで再分析を実行させる手段」である点で共通する。
　
　してみると、本願発明と引用発明１とは、
＜一致点＞
「処理経路に沿って検体容器ホルダーに収容されている検体入り容器を搬送する第一搬送ラインと第一搬送ラインの搬送方向と逆方向に上記検体容器ホルダーに収容されている検体入り容器を搬送する第二搬送ラインとが並べて設けられた搬送ラインと、
　前記搬送ラインの近傍で、前記第一搬送ラインの上流側に設置された搬入ユニットと、前記搬入ユニットに設けられ、保管手段に収容されている検体入り容器を前記第一搬送ライン上に移載する機構と、
　前記第一搬送ラインの搬送方向下流側に設置され、送り込まれた所定の検体入り容器内の検体につき分析処理した後、当該検体入り容器を前記第一搬送ラインに移載する分析装置と、
　前記分析装置の隣側で、前記第一搬送ラインの搬送方向下流側に設置され、前記分析装置による分析処理が済んだ検体入り容器を機構により複数の専用フロアーに格納し、必要に応じて所定の検体入り容器を前記第一搬送ライン上に移載するストックヤードと、
　前記分析装置による分析結果を監視し、再分析を要する検体が発見されたとき前記ストックヤードに格納されている当該検体入りの容器について再分析指令を出す監視制御ユニットと、
　前記監視制御ユニットで再分析指令を出された検体入り容器を前記第二搬送ラインに移載し、当該検体入り容器を上記再分析指令に応じた所定の分析装置に再度送り込んで再分析を実行させる手段と、
を備えた検体搬送システム。」
である点で一致し、次の点で相違する。
　
　＜相違点１＞
　本願発明は、搬入ユニットの隣側で、第一搬送ラインの搬送方向下流側に設置され、前記第一搬送ライン上の検体容器ホルダーに移載された検体入り容器を遠心用ローター部に移載して遠心分離処理を行ない、処理後の検体入り容器を前記第一搬送ライン上の検体容器ホルダーに戻すように移載する遠心分離ユニットと、前記遠心分離ユニットの隣側で、前記第一搬送ラインの搬送方向下流側に設置され、前記遠心分離ユニットで遠心分離処理された後、前記第一搬送ライン上の検体容器ホルダーに移載された検体入り容器の栓を抜き取って廃棄処分する栓抜ユニットとを備え、分析装置が、前記栓抜ユニットの隣側で、前記第一搬送ラインの搬送方向下流側に設置されていて、前記栓抜ユニットで栓を抜き取られた前記検体入り容器のうち、送り込まれた所定の検体入り容器内の検体につき分析処理するのに対し、引用発明１は、遠心分離ユニットと栓抜ユニットを備えておらず、このような構成を備えていない点。
　
　＜相違点２＞
　搬送ラインへの検体入り容器の移載，搬送ラインから外部への検体入り容器の移載の態様が、本願発明は、搬送ライン上の検体容器ホルダーへの検体入り容器の移載，搬送ライン上の検体容器ホルダーから外部への検体入り容器の移載であるのに対し、引用発明１は、搬送ラインへの検体入り容器を収容した検体容器ホルダーの移載，搬送ラインから外部への検体入り容器を収容した検体容器ホルダーの移載である点で基本的に相違し、
　搬入ユニットにおける第一搬送ラインへの検体入り容器の移載が、本願発明は、ロボットアームで、保管用ラックに収容されている検体入り容器を第一搬送ライン上の検体容器ホルダーに移載するのに対し、引用発明１は、ラック押出機構とフックで、保管手段に収容されている検体入り容器を収容した検体容器ホルダーを第一搬送ライン上に移載するものであり、
　分析装置における第一搬送ラインへの検体入り容器の移載が、本願発明は、検体入り容器を第一搬送ライン上の検体容器ホルダーに移載するのに対し、引用発明１は、検体入り容器を収容した検体容器ホルダーを第一搬送ラインに移載するものであり、
　ストックヤードにおける検体入り容器の格納、第一搬送ラインへの検体入り容器の移載が、本願発明は、ロボットアームにより、検体入り容器を格納し、検体入り容器を第一搬送ライン上の検体容器ホルダーに移載するのに対し、引用発明１は、ラック押し込み機構６９と、ラック押込機構２８ａ又は２８ｂで検体入り容器を格納し、ベルト６４で検体入り容器を収容した検体容器ホルダーを第一搬送ラインに移載するものであり、
　再分析を実行させる手段における第二搬送ラインへの検体入り容器の移載が、本願発明は、検体入り容器を第二搬送ライン上の検体容器ホルダーに移載するのに対し、引用発明１は、検体入り容器を収容した検体容器ホルダーを第二搬送ラインに移載するものである点。
　
５．判断 
　上記各相違点について検討する。 
（５−１）相違点１について  
　検体入り容器を搬送ラインで運んで、分析装置により分析を行う検体搬送システムにおいて、分析装置より上流の搬送ラインに沿って、前処理装置として、遠心分離ユニットと、検体入り容器の栓を抜き取る栓抜ユニットを順に設けることは、引用刊行物３（上記３．（３−２）参照。）に加えて、特開平６−３４７４６６号公報（【要約】、段落【００２９】−【００３６】参照。）、特開平７−２２９９０４号公報（段落【０００６】参照。）にも記載されたとおり周知である。
　そして、遠心分離ユニットにおいて、搬送ラインにある検体入り容器のみを遠心用ロータに移載して遠心分離処理を行い、処理後の検体入り容器を搬送ラインに戻すように移載すること（特開平６−３４７４６６号公報（段落【００３０】−【００３３】参照。）、特開平２−３０６１６５号公報（第４ページ右上欄第１４行−同ページ右下欄第１４行）等参照。）、抜栓ユニットにおいて、抜き取った栓を廃棄処分すること（特開平１１−２３０９６７号公報（段落【０００６】，【００１０】参照。）、特開２０００−１４６９８５号公報（【要約】参照。）等参照。）は、遠心分離ユニット、抜栓ユニットにおいて通常の構成である。
　また、分析装置において、搬送ラインで運ばれた検体入り容器のうち、分析が不必要，分析が不可能な検体については分析を行わず、分析が必要，分析が可能な検体について分析を行うことも普通のことである。
　よって、引用発明１において、分析装置の上流の第一搬送ラインに沿って遠心分離ユニットと抜栓ユニットを設ける周知の構成を採用して、搬入ユニットの隣側で、第一搬送ラインの搬送方向下流側に設置され、前記第一搬送ライン上の検体容器ホルダーに移載された検体入り容器を遠心用ローター部に移載して遠心分離処理を行ない、処理後の検体入り容器を前記第一搬送ライン上の検体容器ホルダーに戻すように移載する遠心分離ユニットと、前記遠心分離ユニットの隣側で、前記第一搬送ラインの搬送方向下流側に設置され、前記遠心分離ユニットで遠心分離処理された後、前記第一搬送ライン上の検体容器ホルダーに移載された検体入り容器の栓を抜き取って廃棄処分する栓抜ユニットとを備えたものとし、分析装置が、前記栓抜ユニットの隣側で、前記第一搬送ラインの搬送方向下流側に設置されていて、前記栓抜ユニットで栓を抜き取られた前記検体入り容器のうち、送り込まれた所定の検体入り容器内の検体につき分析処理するように構成することは、当業者であれば容易に想到し得ることである。
　
（５−２）相違点２について
　検体入り容器を搬送ラインで運んで、分析装置による分析処理等を行う検体搬送システムにおいて、搬送ラインへの検体入り容器の移載，搬送ラインから外部への検体入り容器の移載を、搬送ライン上の検体容器ホルダーへの検体入り容器の移載，搬送ライン上の検体容器ホルダーから外部への検体入り容器の移載で行うことは、引用刊行物２にも記載されているとおり周知である。
　また、引用刊行物２には、搬送ラインへ検体入り容器を搬入する構成として、ピックアップロボットで構成された移載ロボットで検体入り容器を把持して、これを搬送ライン上にセットされた空の検体容器ホルダーに移載すること、検体入り容器を搬送ラインから搬出してスタッカーへ格納する構成として、移載ロボットで検体容器ホルダーから検体入り容器を抜き取りスタッカーへ移載することが記載されており、ピックアップロボットとしてアームを備えたものは、実願昭６３−１６３９７２号（実開平２−８５３６１号）のマイクロフイルムにも記載されているとおり周知である。
　よって、引用発明１において、搬送ラインへの検体入り容器の移載，搬送ラインから外部への検体入り容器の移載を、搬送ライン上の検体容器ホルダーへの検体入り容器の移載，搬送ライン上の検体容器ホルダーから外部への検体入り容器の移載で行う周知の構成を採用するとともに、その移載機構としてアームを備えたピックアップロボットを採用し、搬入ユニットにおける第一搬送ラインへの検体入り容器の移載を、ロボットアームで、保管用ラックに収容されている検体入り容器を第一搬送ライン上の検体容器ホルダーに移載するものとし、ストックヤードにおける検体入り容器の格納、第一搬送ラインへの検体入り容器の移載を、ロボットアームにより、検体入り容器を格納し、検体入り容器を第一搬送ライン上の検体容器ホルダーに移載するものとし、再分析を実行させる手段における第二搬送ラインへの検体入り容器の移載を、検体入り容器を第二搬送ライン上の検体容器ホルダーに移載するものとすることは、当業者であれば容易に想到し得ることである。
　更に、搬送ラインにある検体入り容器のみを移載して処理し、処理後の検体入り容器を搬送ラインに戻すことは、遠心処理ユニットにおいて通常の構成であること（上記「（５−１）相違点１について」を参照。）を加えて考慮すると、引用発明１において、分析処理を行う分析装置における第一搬送ラインへの検体入り容器の移載を、検体入り容器を第一搬送ライン上の検体容器ホルダーに移載する構成とすることも当業者が容易になし得ることである。
　
　そして、本願発明の作用効果も、引用刊行物１，２，３に記載された発明及び周知技術から当業者であれば予測できる範囲のものである。　 
　したがって、本願発明は、引用刊行物１，２，３に記載された発明及び周知技術に基づいて、当業者が容易に発明をすることができたものである。
　 
６．むすび 
　以上のとおり、本願の請求項１に係る発明は、引用刊行物１，２，３に記載された発明及び周知技術に基づいて、当業者が容易に発明をすることができたものであり、特許法第２９条第２項の規定により特許を受けることができないものである。 
　したがって、本願は、拒絶すべきものである。 
　よって、結論のとおり審決する。